(57)【要約】【課題】  踵部のある履物を着脱するときに、屈みながら手で踵部の取っ手を引くとか、靴ヘラを必要とすることなく、手を使わず簡単に靴が履け、また一端履けば脱げにくく、靴を脱ぐときは踵部の解除凸部を壁などに当接することで、自動的に踵部が退避して容易に脱げる履物を提供する。特に、緊急に履物を履き替えなければならないときや、手の使用が難しい状況での着脱が可能となる履物を提供する。【解決手段】  本発明の履物はつま先部に対し、踵部が相対的に移動可能に構成する。着脱時には踵部が足のかかとと干渉しない位置に退避しており、履物への足の挿入、着脱時に踵部が邪魔にならない。また、靴底に体重を掛ける動作で踵部がかかとを覆う位置に踵部が移動固定される。靴を脱ぐときは踵下部に設けた突起を一方の靴や壁等に当てることで、踵部の固定が解除され、バネの力で踵部がかかとと干渉しない位置に退避する。このようにして容易に着脱可能となる。【選択図】図１
2007152066.tif 000002
【特許請求の範囲】
【請求項１】
かかとを覆う踵部があって、少なくとも踵部の一部が履いた足のかかとに対して、離れる方向に移動可能に構成されたことを特徴とする踵部のある履物。
【請求項２】
請求項１の少なくともかかとを覆う踵部の移動可能な形態が揺動構造であって、該揺動の支点は踵部より前のつま先側で、履物を脱ぐとき、かかとから離間する方向に揺動する位置に支点をもつことを特徴とする踵部のある履物。
【請求項３】
請求項１の移動可能な構成はかかとを覆う踵部が、履いた足のかかとに対して、少なくともほぼ、かかとに接しない形態と、ほぼかかとを覆う形態の２つ以上の形態を維持するための手段を供えたことを特徴とする踵のある履物。
【請求項４】
請求項３の２つの形態に切り替わるための手段が少なくとも弾性体からなることを特徴とする踵部のある履物。
【請求項５】
請求項３の２つの形態に切り替わるための手段が少なくともソレノイドやモーター等の電力により動力を発生する手段からなることを特徴とする踵部のある履物。
【発明の詳細な説明】
【発明の詳細な説明】
【産業上の利用分野】
【０００１】  踵部のある履物に関する。
【背景技術】
【０００２】  従来、踵部がある靴はかがんで、手で踵部の取っ手を引くとか靴ヘラで足のかかとを滑り込ませなければならなかった。一方この問題を解決するために特開２００３−２３６８６０においては、踵部が履物底部の後端を中心に開閉する構造が提案されている。【０００３】  しかしながら歩行状態では、地面から足が離れる時、必ずかかとが先に離れる。このとき、つま先側に全体重がかかりながら、かかとが上がるため踵部上部にかかとが当たり開こうとするので、踵部が履物底部の後端を中心に開閉する構造ではよほどしっかりと踵部の回転を固定する機構がないと、不用意に開いて、靴がぬげてしまうことになる。【０００４】  一方、特開２０００−１８９２０５において、靴底部に屈伸板を設け、屈伸板の変形により上方向に屈曲する構造が提案されている。この提案の目的には屈曲性、耐久性、安定性とともに、足の着脱が簡単で、換気が良好である。と記述されているが、着脱においては靴底の変形だけでは十分な空間ができない。特に、踵部がアキレス腱を正しく支える構造にすると、踵部の出っ張りが履くとき、脱ぐ時にあたり、容易には着脱ができない。
【発明が解決しようとする課題】
【０００５】上記のように、踵部のある履物を着脱するときに、屈みながら手で踵部の取っ手を引くとか、靴ヘラを必要とすることなく、手を使わず簡単に靴が履け、また一端履けば脱げにくく、靴を脱ぐときは踵部の解除凸部を壁などに当接することで、自動的に踵部が退避して容易に脱げる履物を提供する。特に、緊急に履物を履き替えなければならないときや、手の使用が難しい状況での着脱が可能となる履物を提供する。
【課題を解決するための手段】
【０００６】本発明の履物はつま先部に対し、踵部が相対的に移動可能に構成する。着脱時には踵部が足のかかとと干渉しない位置に退避しており、履物への足の挿入、着脱時に踵部が邪魔にならない。
【０００７】また、靴底に体重を掛ける動作で踵部がかかとを覆う位置に移動固定される。靴を脱ぐときは踵下部に設けた突起を一方の靴や壁等に当てることで、踵部の固定が解除され、バネの力で踵部がかかとと干渉しない位置に退避する。このようにして手を使うことなく容易に着脱可能となる。
【実施例】
【０００８】図１はこの発明の一実施例を示している靴の断面図である。１は前部で足の指を覆う爪先部１１、足の甲を覆う甲部１２と、足裏全体を支える底部１３、前部１の揺動支点１４、ロック凹部１５からなる。【０００９】  ２は後部で、踵を覆う踵部２１、足の側面を覆う側甲部２２、前部１の底部１３の周囲にＵ字状に形成した底部２３、底部２３の外側と内側をつなぎ、剛性をＵＰさせるビーム２４、後部２の揺動支点２５からなる。  ３はネジリコイルバである。  ４はロックで、４１はフック凸部  ４２は後部２に揺動自在に軸支された揺動支点で、４３は解除凸部を示す。【００１０】次にその機能を説明する。前部１と後部２は揺動支点１４と２５で揺動自在に連結されており、その中心にネジリコイルバネ３が軸支され、予め捻られたバネの一端を前部１の底部１３に他端をビーム２４に当接し、ネジリコイルバネ３の反力で前部１の図示しないストッパに後部２が当たり、図１の形態を維持している。【００１１】後部２のロック４は図示しないバネで常時、揺動支点４２を中心に図１の位置に弾性的に固定されている。前部１と後部２はネジリコイルバネの反力に逆らい揺動支点１４と２５で前部１は時計方向に、後部２は反時計方向に揺動させロック凹部１５がフック凸部４１を乗り越えると、フック凸部４１が図示しないバネの弾性力でロック凹部１５に嵌合する。【００１２】するとネジリコイルバネ３の反力で前部１は反時計方向に後部２は時計方向に回ろうとしても、前記引掛りのため固定されており、回転できない。【００１３】図２−１から図２−４はこの履物を履くときの一連の動きを示したものである。図２−１は足を前部１に挿入する時を示しており、後部２の踵部２１上付近まで前部１の底部１３がせりあがっているので、踵部２１に妨げられることなく、前部１に足のつま先を挿入できる。【００１４】図２−２は足のつま先が前部１に完全に挿入された状態。図２−３は足に体重が掛かると、地面に対して揺動支点を１４と２５を中心に前部１は時計回転し、後部２は反時計回転する状態。【００１５】図２−４は体重で、前部１の底部１３と後部２の底部２３が地面に当接し、ほぼ一直線になる位置で、フック凸部４１が前部のロック凹部１５に嵌合し、前部１に後部２が固定される。この状態で歩行しても踵部からかかとは抜けない。【００１６】図３−１から図３−４がこの履物を脱ぐときの一連の動きを示したものである。図３−１は解除凸部４３を壁に当てるために履物全体を壁に向かって動かしている状態。図３−２は壁に解除凸部４３が当たって、揺動支点４２を中心に揺動してフック凸部４１が前部１のロック凹部１５から離れた状態。【００１７】図３−３はその状態のまま足を上に上げた状態で、ネジリコイルバネの力により前部１は揺動支点１４と２５を中心に反時計回りに向きに、後部２は時計回りに回転する。【００１８】図３−４は後部２の踵部２１付近まで前部１の底部１３がせりあがった位置で図示しないストッパに当たり、その形態を保持している。そこで足を斜め後ろに引くことで、履物を脱ぐことができた。
【他の実施例】
【００１９】実施例図４において底部１３に電源用電池５と電動ソレノイド６が組み込まれており図示しないスイツチにより電動ソレノイド６に通電することで、ソレノイドのプランジャーが矢印方向に移動してフック凸部４１が前部１のロック凹部１５から離す。
【００２０】こうすることで解除凸部４３を壁等におしつけなくとも容易に開放できる構成をとることも可能である。
【００２１】また図４の構成と音声認識装置で動作する通電機構との組み合わせで特定の言葉（例えば「靴よ開け！」）を認識するとソレノイド６に通電することで、解除するようにすることも可能である。携帯電話やテレビ等のリモコン信号で動作するようにしても良い。
【００２２】図５はその他の実施例で底部が前部１と後部２に対し、それぞれ半分ずつに分かれており揺動支点１３，２５を中心に揺動可能に構成したもので、３はシート状のゴム板で前部１と後部２がへの字形態になるバネとして働く。
【００２３】揺動支点１４，２５と同等の揺動に相当するような屈曲部を設けることができるのであれば、前部１と後部２は必ずしも別体のものである必要はない。
【００２４】への字に屈曲する手段としての弾性部材は引っ張りコイルバネや圧縮コイルバネであってもよい。
【００２５】前部１と後部２の揺動を妨げない構造であれば、甲部１２と側甲部２２とは一体出会っても良いし、例えば、ゴムテープ等伸縮性のある材料で連結されていてもよい。
【発明の効果】
【００２６】このように、屈みながら手で踵部の取っ手を引くとか、靴ヘラを必要とすることなく、手を使わず簡単に靴が履け、また一端履けば脱げにくく、靴を脱ぐときは踵部の解除凸部を壁などに当接することで、自動的に踵部が退避して容易に脱げる踵部のある履物となる。
【図面の簡単な説明】
【００２７】
【図１】は本発明の１実施例をしめす断面図
【図２】−１から図２−４は本発明の靴を履くときの一連の動きを示したもの
【図３】−１から図３−４は本発明の靴を脱ぐときの一連の動きを示したもの
【図４】は本発明で電動ロック解除の他の実施例
【図５】は本発明のその他の実施例
【符号の説明】
【図１】
１      前部
１１    爪先部
１２    甲部
１３    底部
１４    揺動支点
１５    ロック凹部
２      後部
２１    踵部
２２    側甲部
２３    底部
２４    ビーム
２５    後部２の揺動支点
３      ネジリコイルバネ
４      ロック
４１    フック凸部
４２    揺動支点
４３    解除凸部
図４
５      電源
６      ソレノイド
図５
１      前部
２      後部
３      ゴム板
１４    前部揺動支点
２５    後部揺動支点
【図１】
2007152066.tif 000003
2007152066.tif 000004
【図２】
2007152066.tif 000005
【図３】
2007152066.tif 000006
【図４】
2007152066.tif 000007
【図５】
2007152066.tif 000008
【手続補正書】
【提出日】平成18年2月28日(2006.2.28)
【手続補正２】
【補正対象書類名】図面
【補正対象項目名】全図
【補正方法】変更
【補正の内容】
【図１】
2007152066.tif 000009
【図２】
2007152066.tif 000010
【図３】
2007152066.tif 000011
【図４】
2007152066.tif 000012
【図５】
2007152066.tif 000013